(57)【要約】      （修正有）【課題】車のボディー等のような曲面を呈する被研磨面でも均一に研磨することができる、内部に研磨粉あるいは塵埃や粉塵等を集塵する集塵質を備えた手動研磨装置を提供する。【解決手段】スポンジ状のラバーゴム等の柔軟性を有する素材から製せられ、内部に空洞状の集塵室４を設け、根元側の端面には掃除機等の集塵機と接続されるパイプ６を有してその上下方向において湾曲可能に形成される略台形状の本体部１と、本体部１の底面に保形性を有する合成樹脂製のシール材３を介して取替え可能に張着され、本体部１と一体的に湾曲される研磨シート２とよりなり、本体部１と研磨シート２の対応位置に研磨によって生じる研磨粉を吸入して集塵室４に集塵する複数の研磨粉吸入口を穿設し、かつ、本体部１の先端側の端面および両側面には長手方向に沿って複数の吸入調節口７を形成してなる。【選択図】図１
2011005621.tif 000002
【特許請求の範囲】
【請求項１】
スポンジ状のラバーゴム等の柔軟性を有する素材から製せられ、内部に空洞状の集塵室を設け、その根元側の端面には掃除機等の集塵機と接続されるパイプを有してその上下方向において湾曲可能に形成される略台形状の本体部と、該略台形状の本体部の底面に保形性を有する合成樹脂製のシール材を介して取替え可能に張着され、前記本体部と一体的に湾曲される研磨シートとよりなり、前記本体部と研磨シートの対応位置に研磨によって生じる研磨粉を吸入して空洞状の集塵室に集塵する複数の研磨粉吸入口を穿設し、かつ、本体部の先端側の端面および両側面には長手方向に沿って複数の吸入調節口を形成してなることを特徴とする手動研磨装置。
【請求項２】
前記本体部の上方部分にはその幅方向に適宜間隔を有して切欠き部を形成し、上面に柔軟性を有するシリコン製のカバーを被冠してなることを特徴とする請求項１記載の手動研磨装置。
【発明の詳細な説明】
【技術分野】
【０００１】  本発明は手動の研磨機、とくに車のボディー等の曲面を有する被研磨面に適用できる内部に集塵機能を備えた手動研磨装置に関する。
【背景技術】
【０００２】  従来この種の内部に集塵機能を備えて研磨によって生じる研磨粉あるいは塵埃や粉塵を集塵する手動研磨装置がある（例えば、特許文献１参照）。
【先行技術文献】
【特許文献】
【０００３】
【特許文献１】  特開２００５−２７１１８８号公報
【発明の概要】
【発明が解決しようとする課題】
【０００４】  上記に開示した集塵機能を備えた手動研磨装置は、本出願人による発明であるが、金属または硬質の合成樹脂からなる長形状の筐状体から形成されて、その内部に空洞状の集塵層を設け、上面に天板を、また、下面に研磨材を張着した底板を設けて形成され、平滑面を有する研磨面に対しては円滑に、かつ、均一に研磨されるが、装置自体が剛性を有しているため、被研磨面が曲面状になっているときは一様に研磨ができず、繰り返し局部的に研磨しなければ均一にならないという煩雑さを有していた。【０００５】  本発明は、上記に開示した手動研磨装置をさらに改良したもので、車のボディー等のように平滑面のみならず曲面を呈する被研磨面に対応して湾曲され、容易にかつ均一に研磨され、しかも内部に研磨粉あるいは塵埃や粉塵等を集塵する集塵室を備えた手動研磨装置を提供するものである。
【課題を解決するための手段】
【０００６】  本発明に係る手動研磨装置は、スポンジ状のラバーゴム等の柔軟性を有する素材から製せられ、内部に空洞状の集塵室を設け、その根元側の端面には掃除機等の集塵機と接続されるパイプを有してその上下方向において湾曲可能に形成される略台形状の本体部と、該略台形状の本体部の底面に保形性を有する合成樹脂製のシール材を介して取替え可能に張着され、前記本体部と一体的に湾曲される研磨シートとよりなり、前記本体部と研磨シートの対応位置に研磨によって生じる研磨粉を吸入して空洞状の集塵室に集塵する複数の研磨粉吸入口を穿設し、かつ、本体部の先端側の端面および両側面には長手方向に沿って複数の吸入調節口を形成してなることを特徴とするものである。【０００７】  さらに、本発明に係る手動研磨装置は、本体部の上半部にはその幅方向に適宜間隔を有して切欠き部を形成し、上面に柔軟性を有するシリコン製のカバーを被冠してなるものである。
【発明の効果】
【０００８】  本発明に係る手動研磨装置によれば、略台形状の本体部は、スポンジ状のラバーゴム等の柔軟性を有する素材から製せられ、その上下方向において湾曲可能に形成され、本体部の底面に取替え可能に設けられる研磨シートを一体的に湾曲されることにより、全体をその上下方向において湾曲可能に形成してなり、平滑面のみならず曲面を持つ被研磨体にフィットした状態で密着され均等かつ均一に研磨することができるものである。【０００９】  さらに、台形状の本体部はその上半部に幅方向に渡って切れ込み部を設けることにより、一層上下方向の湾曲状態を高めることができる。【００１０】  また、略台形状の本体部の底面と、この底面に張着される研磨シートの対応面には研磨粉を吸入する吸入口が数多設けられて、研磨作業によって生じる研磨粉を吸引して本体部の空洞状の集塵室に吸入され集塵機に集められて外部への飛散を抑えることができる。【００１１】  さらに、本体部と研磨シートは一体的にその上下方向に湾曲可能に形成され、研磨を行なう被研磨体表面の曲面に追随して密着されており、その研磨効率を高めるとともに研磨によって生じる研磨粉が、本体部の底面内で処理されて外部に飛散することが防止される。【００１２】  さらに、本体部は、その両側面部、先端側の端面部には長手方向に沿って数多の吸入調整口を穿設することにより、集塵機の吸入力を容易に調節して研磨効果を高めるとともに、粉塵や塵埃の周辺への飛散や拡散が減少され、また、被研磨面への付着残量を最小限に抑えることができる。【００１３】  さらに、台形状の本体部の両側面に凹状の窪み部を形成することにより、研磨の作業の途中で不用意に手から脱落することを防止することができる。
【図面の簡単な説明】
【００１４】
【図１】は、本発明に係る手動研磨装置を示す斜視図である。
【図２】は、同じく底面図である。
【図３】は、研磨シートを張着した下方向を凸面状に湾曲した状態を示す斜視図である。
【図４】は、研磨シートを張着した下方向を凹面状に湾曲した状態を示す斜視図である。
【図５】は、手動研磨装置の他の形態を示す斜視図である。
【図６】は、同じく端面図である。
【発明を実施するための形態】
【００１５】  本発明に係る手動研磨装置は、図１ないし図４に示すように、スポンジ状のラバーゴム等の柔軟性を有する素材からなる略台形状の本体部１と、この本体部１の底面に取替え可能に張着される研磨シート２からなり、本体部１と研磨シート２は一体的にその上下方向において一体的に湾曲可能に形成されて、車のボディーパネル等の被研磨面の凸状または凹状の曲面に対応されて密着するように構成されている。
【００１６】  スポンジ状のラバーゴム等の素材を用いて製せられる略台形状の本体部１は、その底面のほぼ全面に亘って保形性を有する折曲げ可能な合成樹脂製のシール材３を一体的に設け、このシール材３には、面ファスナー等の止着手段を介してバフや研磨紙等の研磨シート２を取替え可能に取付けて研磨面が形成されている。
【００１７】  また、略台形状の本体部１の内部には空洞状の集塵室４が形成され、この集塵室４は本体部１の底面と研磨シート２の対応部位に穿設される複数の研磨粉吸入口５と連通されている。
【００１８】  空洞状の集塵室４は、その根元側の端面には、集塵機（図示せず）と接続するパイプ６が取付けられて、研磨面に生じる研磨粉を研磨粉吸入口５から吸引して集塵室５に集められ、パイプ６を通って集塵機に送られる。
【００１９】  略台形状の本体部１の先端側の端面及び両側面には、長手方向に沿って適宜間隔で吸入調整口７が形成されて、適宜テープ等のマスキングを行なったり、外したりして集塵機の吸引力を指の操作で調節して好ましい吸引力を選択するものである。
【００２０】略台形状の本体部１は、その両側面を凹状の窪み面として掴み代８を形成することにより、研磨時、手にした手動研磨装置がみだりに離脱しないようにされている。
【００２１】  図５に示す手動研磨装置は、別の形態を示すもので、略台形状の本体部１の上方部分にその幅方向に適宜間隔をもって複数の切欠き部９を形成して、その素材特性とともに上下方向の湾曲をさらに効果的にするものである。
【００２２】  略台形状の本体部１の上方部分に複数の切欠き部９を形成するものにおいては、図６に示すように、本体部１の上面から両側面に伸びる柔軟性を有するシリコン製の比較的薄い折曲げ可能なカバー１０が一体的に被冠されて、切欠き部９を通して研磨粉の飛散や集塵力の低下を防止するものである。
【００２３】  このように構成される本発明に係る集塵研磨装置は、その上下方向において湾曲可能に形成しているもので、被研磨面が凸状の曲面のときは、図３に示すように、本体部１及び研磨シート２が一体となって被研磨面の曲面状態に対応して凹面状に湾曲して密着されて均一に研磨される。
【００２４】  また、被研磨面が凹状の曲面に対しても、凸状の曲面のときと反対に、図４に示すように、本体部１及び研磨シート２が一体となって被研磨面の曲面状態に対応して凸面状に湾曲して密着されて均一に研磨されるものである。
【符号の説明】
【００２５】１    本体部
２    研磨シート
３    シール材
４    集塵室
５    研磨粉吸入口
６    パイプ
７    吸入調整口
８    掴み代
９    切欠き部
１０  カバー
【図１】
2011005621.tif 000003
【図２】
2011005621.tif 000004
【図３】
2011005621.tif 000005
【図４】
2011005621.tif 000006
【図５】
2011005621.tif 000007
【図６】
2011005621.tif 000008